(57)【要約】【課題】不使用時にはコンパクトになるようにしたレンズフード付きのレンズ鏡筒を提供する。【解決手段】レンズフード２２に直進溝２２ａが形成され、これに内筒２０に形成されたガイド突起２０ａが係合している。レンズフード２２に立設された突起２２ｂがカム筒２４のカム溝２４ａに係合している。カム筒２４に形成されたカム溝２４ｂには、内鏡筒１４の外周面１４ａに立設された突起１４ｂが係合している。撮影が終了した後、伸長状態から外鏡筒を内鏡筒側に向かって押し込むと、突起１４ｂがカム溝２４ｂの縁を押し、カム筒２４が矢印α方向と反対方向に回転する。これにより、カム溝２４ａに案内されて突起２２ｂ、すなわちレンズフード２２が突出位置から収納位置にセットされ、外鏡筒１２の外郭内に収納されると同時にレンズ鏡筒が短縮状態になる。【選択図】        図３
2006284865.tif 000002
【特許請求の範囲】
【請求項１】
一端側に開口部を有する円筒状の外鏡筒と、一端部が外鏡筒の内部に収納され、他端部が外鏡筒の開口部から外部に突出するとともに、前記外鏡筒に対して相対的に撮影光軸方向に進退自在に設けられた内鏡筒とからなり、前記外鏡筒の開口部から突出した内鏡筒の突出量が最も小さい短縮状態と内鏡筒の突出量が最も大きい伸長状態との間で伸縮される鏡筒本体と、
前記外鏡筒の被写体側の端部から被写体側へ向かって突出する突出位置と外鏡筒の外郭内に収納される収納位置との間で撮影光軸方向に進退自在に外鏡筒に組み込まれたレンズフードと、
このレンズフードが、前記鏡筒本体が短縮状態にある時には収納位置、前記鏡筒本体が伸長状態にある時には突出位置となるように、前記鏡筒本体の伸縮動作に連動してレンズフードを進退させる連動機構とからなることを特徴とするレンズ鏡筒。
【請求項２】
前記連動機構は、
前記外鏡筒の内側に撮影光軸を回転中心軸として回転自在に組み込まれたカム筒と、
このカム筒の一部に回転中心軸に対して傾斜して設けられ、前記内鏡筒と係合する第１カム部と、
この第１カム溝の傾斜と反対向きの傾斜をもってカム筒の一部に設けられ、前記レンズフードと係合する第２カム部とからなり、
前記鏡筒本体を伸縮することによりカム筒が回転し、前記レンズフードが突出位置と収納位置との間で進退されることを特徴とする請求項１記載のレンズ鏡筒。
【請求項３】
カメラ本体に着脱される鏡筒本体と、
この鏡筒本体の被写体側の端部から被写体側へ向かって突出する突出位置と鏡筒本体の外郭内に収納される収納位置との間で進退自在に鏡筒本体に組み込まれたレンズフードと、
前記鏡筒本体をカメラ本体に取り付ける取付け動作に連動してレンズフードを収納位置から突出位置に移動させるとともに、前記鏡筒本体をカメラ本体から取り外す取外し動作に連動してレンズフードを突出位置から収納位置に移動させる連動機構とからなることを特徴とするレンズ鏡筒。
【請求項４】
前記連動機構は、
前記レンズフードに形成されたカム部と、
これに一端部が係合するとともに、他端部が鏡筒本体からカメラ本体側へ突出し、前記鏡筒本体をカメラ本体に取り付けた際にカメラ本体に係合する係合部材と
からなることを特徴とする請求項３記載のレンズ鏡筒。
【請求項５】
前記鏡筒本体の内部には、固体撮像素子が組み込まれていることを特徴とする請求項１ないし４いずれか記載のレンズ鏡筒。
【発明の詳細な説明】
【技術分野】
【０００１】
本発明は、カメラ本体に着脱される撮影用の交換レンズのレンズ鏡筒に関し、更に詳しくはレンズフード付きのレンズ鏡筒に関するものである。
【背景技術】
【０００２】
従来から一般に、撮影レンズのレンズ鏡筒の前部には、レンズの画角外からの有害光線を遮断する筒であるレンズフードが装着できるようになっている。しかしながら、撮影を行わない時には、レンズ鏡筒の前部に保護用のレンズキャップを装着するため、レンズフードをレンズ鏡筒から外す必要があり、面倒である。なお、レンズ鏡筒の中には、レンズフードを反対向きにして装着し直してから、レンズキャップが装着できるようにしたものもあるが、一旦レンズフードをレンズ鏡筒から外す必要がある点では同じであり、やはり面倒である。
【０００３】
このため、レンズフードをレンズ鏡筒に進退自在に組み込み、かつズームリングの動作に連動してレンズフードの深さ（突出量）を自動的に調節するズームレンズ鏡筒が開示されている（例えば特許文献１）。
【特許文献１】特許第２６３３０８１号
【発明の開示】
【発明が解決しようとする課題】
【０００４】
上記特許文献１では、レンズフードの取外し操作が不要で便利であるが、カメラ本体から取り外しただけではコンパクトな状態になる訳ではなく、ズームリングを操作して最もワイド側にセットする必要がある。
【０００５】
本発明は、上記課題を解決するためになされたもので、不使用時にはコンパクトになるようにしたレンズフード付きのレンズ鏡筒を提供することを目的とする。
【課題を解決するための手段】
【０００６】
本発明のレンズ鏡筒は、一端側に開口部を有する円筒状の外鏡筒と、一端部が外鏡筒の内部に収納され、他端部が外鏡筒の開口部から外部に突出するとともに、前記外鏡筒に対して相対的に撮影光軸方向に進退自在に設けられた内鏡筒とからなり、前記外鏡筒の開口部から突出した内鏡筒の突出量が最も小さい短縮状態と内鏡筒の突出量が最も大きい伸長状態との間で伸縮される鏡筒本体と、前記外鏡筒の被写体側の端部から被写体側へ向かって突出する突出位置と外鏡筒の外郭内に収納される収納位置との間で撮影光軸方向に進退自在に外鏡筒に組み込まれたレンズフードと、このレンズフードが、前記鏡筒本体が短縮状態にある時には収納位置、前記鏡筒本体が伸長状態にある時には突出位置となるように、前記鏡筒本体の伸縮動作に連動してレンズフードを進退させる連動機構とからなることを特徴とする。
【０００７】
また、前記連動機構は、前記外鏡筒の内側に撮影光軸を回転中心軸として回転自在に組み込まれたカム筒と、このカム筒の一部に回転中心軸に対して傾斜して設けられ、前記内鏡筒と係合する第１カム部と、この第１カム溝の傾斜と反対向きの傾斜をもってカム筒の一部に設けられ、前記レンズフードと係合する第２カム部とからなり、前記鏡筒本体を伸縮することによりカム筒が回転し、前記レンズフードが突出位置と収納位置との間で進退されることを特徴とする。
【０００８】
また、カメラ本体に着脱される鏡筒本体と、この鏡筒本体の被写体側の端部から被写体側へ向かって突出する突出位置と鏡筒本体の外郭内に収納される収納位置との間で進退自在に鏡筒本体に組み込まれたレンズフードと、前記鏡筒本体をカメラ本体に取り付ける取付け動作に連動してレンズフードを収納位置から突出位置に移動させるとともに、前記鏡筒本体をカメラ本体から取り外す取外し動作に連動してレンズフードを突出位置から収納位置に移動させる連動機構とからなることを特徴とする。
【０００９】
また、前記連動機構は、前記レンズフードに形成されたカム部と、これに一端部が係合するとともに、他端部が鏡筒本体からカメラ本体側へ突出し、前記鏡筒本体をカメラ本体に取り付けた際にカメラ本体に係合する係合部材とからなることを特徴とする。また、前記鏡筒本体の内部には、固体撮像素子が組み込まれていることを特徴とする。
【発明の効果】
【００１０】
本発明のレンズ鏡筒によれば、鏡筒本体の伸縮動作に連動して、レンズフードが鏡筒本体が短縮状態にある時には収納位置、鏡筒本体が伸長状態にある時には突出位置となるように進退されるので、不使用時に鏡筒本体を短縮状態にすると、これに連動してレンズフードが収納位置になりコンパクトになる。
【００１１】
また、鏡筒本体の伸縮動作に連動してレンズフードを進退させる連動機構は、外鏡筒の内側に撮影光軸を回転中心軸として回転自在に組み込まれたカム筒と、このカム筒の一部に回転中心軸に対して傾斜して設けられ、内鏡筒と係合する第１カム部と、この第１カム溝の傾斜と反対向きの傾斜をもってカム筒の一部に設けられ、レンズフードと係合する第２カム部とから構成するのが好ましい。
【００１２】
また、カメラ本体との着脱操作に連動してレンズフードが突出位置と収納位置との間で進退されるようにしたので、レンズ鏡筒をカメラ本体から外した時には既にレンズフードは鏡筒本体の外郭内に収納されており、レンズ鏡筒はコンパクトになる。また、カメラ本体との着脱操作に連動してレンズフードが進退される連動機構は、レンズフードに形成されたカム部と、これに一端部が係合するとともに、他端部が鏡筒本体からカメラ本体側へ突出し、前記鏡筒本体をカメラ本体に取り付けた際にカメラ本体に係合する係合部材とからなるように構成するのが好ましい。また、鏡筒本体の内部に固体撮像素子を組み込むようにすると、カメラ本体との間に撮影光学系の接続構造を設ける必要がなく、接続構造を簡単にすることができる。
【発明を実施するための最良の形態】
【００１３】
本発明の第１実施形態であるレンズ鏡筒を採用した撮影レンズを示す図１及び図２において、撮影レンズ１０は、レンズ交換式のカメラ本体に着脱自在に装着される２群ズームレンズである。撮影レンズ１０のレンズ鏡筒１１は、円筒状の外鏡筒１２と、前端部が外鏡筒１２の内部に収納され、後端部が外鏡筒１２の開口部１２ａから外部に突出するとともに、前記外鏡筒１２に対して相対的に撮影光軸方向に進退自在に設けられた内鏡筒１４とからなる。また、前記内鏡筒１４の後端部には、撮影レンズ１０をカメラ本体に着脱自在に装着するリング状のレンズマウント１６が設けられている。
【００１４】
前記レンズ鏡筒１１は、前記外鏡筒１２の開口部１２ａから突出した内鏡筒１４の突出量が最も小さい短縮状態（図２）と、内鏡筒１４の突出量が最も大きい伸長状態（図１）との間で伸縮される。なお、レンズ鏡筒１１が短縮状態では撮影レンズ１０の撮影光学系が成立せず撮影不可であり、レンズ鏡筒１１が伸長状態では撮影レンズ１０の撮影光学系が成立して撮影可能になる。また、図示していないが、前記伸長状態と短縮状態とではそれぞれロック機構が働き、不用意に各状態が変更されないようになっている。
【００１５】
前記外鏡筒１２の外周面には、ズーミングする際に回転操作されるズームリング１８が設けられている。この内側には、ズームリング１８を支持する内筒２０が設けられ、この内筒２０とズームリング１８との間には、例えば円筒形状をしたレンズフード２２が設けられている。
【００１６】
前記レンズフード２２は、外鏡筒１２の前端部から被写体側に突出して前群固定レンズ２３の画角外からの有害光線を効果的に遮断する突出位置（図１参照）と、レンズ鏡筒１１の外郭内に収納され、レンズ鏡筒１１がコンパクトになる収納位置（図２参照）との間で、光軸方向に進退される。
【００１７】
前記レンズフード２２の前端側の内壁面には、光軸方向に直線状の直進溝２２ａが形成されており、これに内筒２０の外周面の一部に四角柱状に形成されたガイド突起２０ａが係合している。また、前記レンズフード２２の後端側の内壁面には、ピン状の突起２２ｂが立設されており、前記内筒２０の開口を介してその内側に設けられたカム筒２４のカム溝２４ａに係合している。前記カム筒２４には、前記カム溝２４ａの他に、長孔状のカム溝２４ｂが形成されており、これに内鏡筒１４の外周面１４ａの前端部近傍に立設されたピン状の突起１４ｂが係合している。
【００１８】
前記外鏡筒１２の内部には、前記前群固定レンズ２３の他に、前記ズームリング１８の回転操作に連動して光軸方向に進退されるズーミングレンズ２６が設けられている。また、内鏡筒１４の内部には、後群固定レンズ２７と、ピント合わせの際に光軸方向に進退されるフォーカシングレンズ２８とが設けられている。そして、フォーカシングレンズ２８の後方には、固体撮像素子であるＣＣＤ３０が設けられている。なお、固体撮像素子としてはＣＣＤの代わりにＣＭＯＳ型イメージセンサーを採用してもよい。
【００１９】
前記カム筒２４の展開図を示す図３において、カム筒２４のカム溝２４ａ，２４ｂは、撮影光軸方向Ｌに対して、それぞれ逆方向に傾斜している。また、短縮状態（Ａ）では、内鏡筒１４の突起１４ｂがカム溝２４ｂの前端部に係合しているとともに、レンズフード２２の突起２２ｂがカム溝２４ａの後端部に係合しており、レンズフード２２は収納位置（図２参照）にある。
【００２０】
この状態から外鏡筒１２を内鏡筒１４から引き離すように引っ張ると、カム溝２４ｂに係合している内鏡筒１４の突起１４ｂに案内されてカム筒２４が矢印α方向に回転する。これにより、カム溝２４ａに案内されて突起２２ｂ、すなわちレンズフード２２が被写体側へ送り出される。この時、内筒２０のガイド突起２０ａに直進溝２２ａが係合しているから、レンズフード２２は撮影光軸方向Ｌに沿って真っ直ぐに送り出される。そして、突起１４ｂがカム溝２４ｂの一端部に当接する位置まで外鏡筒１２を引っ張ると、レンズ鏡筒１１が伸長状態（Ｂ）になるとともに、突起２２ｂがカム溝２４ａの一端部まで到達し、レンズフード２２が突出位置になる。
【００２１】
また、伸長状態（Ｂ）から外鏡筒１２を内鏡筒１４側に向かって押すと、カム溝２４ｂに係合している突起１４ｂに案内されてカム筒２４が矢印α方向と反対方向に回転する。これにより、カム溝２４ａに案内されて突起２２ｂ、すなわちレンズフード２２が被写体側から離れる方向に移動する。そして、突起１４ｂがカム溝２４ｂの他端部に当接する位置まで外鏡筒１２を押し込むと、レンズ鏡筒１１が短縮状態（Ａ）になるとともに、突起２２ｂがカム溝２４ａの他端部まで到達し、レンズフード２２が収納位置になる。
【００２２】
なお、図示していないが、レンズマウント１６にはカメラ本体側のボディマウントの電気接点に接触して電気的に接続される電気接点が組み込まれ、撮影レンズ１０をカメラ本体に装着して撮影を行うと、前記ＣＣＤ３０から出力された画像信号がカメラ本体内のメモリカードに記憶される。また、レンズ鏡筒１１内にＣＣＤ３０を組み込んであるから、撮影光学系はレンズ鏡筒１１内で完結しており、カメラ本体との接続構造が簡単になる。
【００２３】
次に、上記実施形態の作用について説明する。撮影レンズ１０を使用する際には、ロック解除の操作を行いながら外鏡筒１２を内鏡筒１４から離すように引っ張る。これにより、カム筒２４が矢印α方向（図３参照）に回転し、レンズフード２２が外鏡筒１２の前端部から被写体側に突出してくる。外鏡筒１２が止まるまで引っ張ると、レンズ鏡筒１１が伸長状態にロックされて撮影レンズ１０が使用可能になる（レンズ２３，２６〜２８による撮影光学系が撮影可能に成立する）とともに、レンズフード２２が突出位置にセットされる。
【００２４】
このように、外鏡筒１２を引っ張るという簡単な操作を行うだけで、撮影レンズ１０が使用可能な伸長状態になると同時にレンズフード２２が突出位置にセットされるから、手間なく速やかに撮影に取りかかることができる。
【００２５】
撮影が終了した後は、ロック解除の操作を行いながら外鏡筒１２を内鏡筒１４側へ押し込むと、カム筒２４が矢印α方向（図３参照）と反対方向に回転し、レンズフード２２が内鏡筒１４側へ向かって移動する（引っ込む）。外鏡筒１２が止まるまで押し込むと、レンズ鏡筒１１が短縮状態にロックされて撮影レンズ１０が使用不可となるとともに、レンズフード２２が収納位置にセットされる。
【００２６】
このように、外鏡筒１２を内鏡筒１４側に押し込むという簡単な操作を行うだけで、撮影レンズ１０が短縮状態になると同時にレンズフード２２が収納位置にセットされるから、レンズフードを取り外す等の手間をかけることなく速やかに撮影レンズ１０がコンパクトな状態になる。この後、撮影レンズ１０の前部にレンズキャップ（図示せず）を装着してカメラバック等に簡単に収納することができる。
【００２７】
次に、カメラ本体に装着することにより、レンズフードが収納位置から突出位置に移動してセットされるようにした本発明の第２実施形態を説明する。なお、前記第１実施形態と同じ部材には同じ符号を付し、説明を省略する。
【００２８】
図４及び図５に示すように、第２実施形態であるレンズ鏡筒を採用した撮影レンズ５０は、カメラ本体５２に装着して使用される。撮影レンズ５０とカメラ本体５２との組み合わせによりデジタルカメラ５４が構成される。カメラ本体５２の上部には、シャッタボタン５６，電源スイッチ５７及び各種のモード設定等を行う操作ダイヤル５８が設けられている。
【００２９】
カメラ本体５２の前部には、ストロボ発光部６０と、撮影レンズ５０の後端部に設けられたレンズマウント６１を着脱自在に取り付けるボディマウント６２が設けられている。なお、撮影レンズ５０には、前記第１実施形態と同様にＣＣＤ３０が組み込まれているので（図６参照）、撮影光学系はレンズ鏡筒１１内で完結しており、レンズマウント６１とボディマウント６２とには、カメラ本体５２からのレリーズ信号を撮影レンズ５０に送ったり、撮影レンズ５０から出力された撮影データをカメラ本体５２に送るための光通信手段が設けてある。
【００３０】
前記ボディマウント６２近傍のカメラ本体５２の前部には、撮影レンズ５０を取り付ける際に指標となるマーク６６が設けられている。前記撮影レンズ５０のレンズマウント６１に設けられたマーク６８をマーク６６に合わせてから撮影レンズ５０を時計方向に回せば、図５に示すように、撮影レンズ５０が正しい位置でロックされる。そして、撮影レンズ５０の時計方向への回転に連動して、撮影レンズ５０の前部からレンズフード７０が被写体側に突出する。
【００３１】
前記レンズフード７０は、撮影レンズ５０が例えば焦点距離２４ｍｍの広角と焦点距離１００ｍｍの望遠との間で焦点距離を変更できるズームレンズであることに対応して、焦点距離１００ｍｍでの有害光の遮断効果を確保しながら焦点距離２４ｍｍでの光のケラレを防ぐように、天地側の突出量を大きくかつサイド側の突出量を短く先端部をカットしたチューリップ型をしている。
【００３２】
撮影レンズ５０及びカメラ本体５２の断面を示す図６において、撮影レンズ５０のレンズ鏡筒７４は、前記第１実施形態と同様に、外鏡筒７５と内鏡筒７６とからなり、使用可能な伸長状態（図９参照）と、使用不可のコンパクトな短縮状態（図４〜図８）との間で伸縮される。
【００３３】
前記レンズフード７０は、ズームリング７８と内筒８０との間に、進退自在に設けられている。前記レンズフード７０の先端側の内周面には、撮影光軸Ｌに沿って真っ直ぐに形成された直進溝７０ａと、撮影光軸Ｌに対して斜めに形成されたカム溝７０ｂとが設けられている（図１０参照）。前記直進溝７０ａには、内筒８０の外周面に立設されたガイド突起８０ａが係合している。また、前記カム溝７０ｂには、Ｌ字型レバー８２ａの端部が係合している（図１０参照）。
【００３４】
前記Ｌ字型レバー８２ａは、外鏡筒７５の最も内側に回動自在に設けられた連動リング８２の一部から撮影光軸Ｌに沿って突出形成されている（図１０参照）。また、連動リング８２のＬ字型レバー８２ａと反対側には、前記ボディマウント６２内に設けられた係合穴８４（図４参照）に挿入して係合される係合レバー８２ｂが撮影光軸Ｌに沿って突出形成されている（図１０参照）。
【００３５】
このように構成された撮影レンズ５０を使用するには、まずマーク６８をマーク６６に合わせ、図７に示すように、撮影レンズ５０のレンズマウント６１をカメラ本体５２のボディマウント６２に差し込む。これにより、係合レバー８２ｂが係合穴８４に挿入される（図１０（Ａ）参照）。
【００３６】
続いて、図５及び図８に示すように、レンズ鏡筒７４を時計方向（図５に示す矢印方向）に回すと、レンズ鏡筒７４と一緒にレンズフード７０が時計方向に回転するが、係合穴８４との係合により連動リング８２は回転しないから、Ｌ字型レバー８２ａに対して相対的にレンズフード７０が回転し、カム溝７０ｂの作用により、レンズフード７０が前方（被写体側に向かう方向）に繰り出される（図１０（Ｂ）参照）。
【００３７】
また、これと同時に、レンズマウント６１がボディマウント６２に係止され、撮影レンズ５０がカメラ本体５２に一体的に装着される。この後、外鏡筒７５を内鏡筒７６から引き離すように引っ張ると、図９に示すように、撮影レンズ５０は使用可能な伸長状態になる。
【００３８】
撮影が終了したら外鏡筒７５を内鏡筒７６側へ押しつけてレンズ鏡筒７４を短縮状態にすると（図８参照）、係合レバー８２ｂが係合穴８４に挿入される。続いて、レンズ鏡筒７４を反時計方向（図５に示す矢印と反対の方向）に回すと、レンズ鏡筒７４と一緒にレンズフード７０が反時計方向に回転するが、係合穴８４との係合により連動リング８２は回転しないから、Ｌ字型レバー８２ａに対して相対的にレンズフード７０が回転し、カム溝７０ｂの作用により、レンズフード７０が後方（被写体と反対側に向かう方向）に引っ込む（図１０（Ａ）参照）。
【００３９】
これにより、レンズフード７０が外鏡筒７５の外郭内に収納されるとともにマーク６８がマーク６６に合うから、軽い力でレンズ鏡筒７４をカメラ本体５２から引き離すように引っ張ると、撮影レンズ５０をカメラ本体５２から容易に取り外すことができる。カメラ本体５２から取り外された撮影レンズ５０は、短縮状態でかつレンズフードが外鏡筒７５の外郭内に収納されているから、既に最もコンパクトな状態になっており、前部にレンズキャップを装着すれば、カメラバック等に容易に仕舞うことができる。
【００４０】
以上説明した第１，２実施形態では、使用可能の伸長状態と使用不可の短縮状態との間で伸縮されるレンズ鏡筒であったが、本発明はこれに限定されることなく、例えばズーミング操作に伴って伸縮されるレンズ鏡筒であってもよい。この場合には、変倍に応じてレンズフードの突出量が調整される。また、上記第１実施形態では、レンズフードの形状を円筒状としたが、第２実施形態と同様に、先端部がチューリップ形状をしたものでもよい。
【００４１】
また、上記第２実施形態では、使用可能の伸長状態と使用不可の短縮状態との間で伸縮されるレンズ鏡筒であったが、本発明はこれに限定されることなく、カメラ本体との着脱操作に連動してレンズフードが進退されるのであれば、伸縮しないタイプのレンズ鏡筒であってもよい。また、上記第２実施形態では、撮影レンズとカメラ本体との間で光通信を行うようにしたが、本発明はこれに限定されることなく、撮影レンズをカメラ本体に装着することにより互いに接触して電気信号の遣り取りを行う電気接点をレンズマウントとボディマウントとにそれぞれ設けるようにしてもよい。
【００４２】
また、上記第１，２実施形態では、レンズ鏡筒内にＣＣＤ等の固体撮像素子を組み込んだが、本発明はこれに限定されることなく、カメラ本体に装着することによりカメラ本体との間に撮影光学系が構成されるタイプの撮影レンズにも適用できる。また、上記第１，２実施形態は、静止画像を撮影するデジタルカメラ用の撮影レンズに適用した例であったが、動画を撮影するムービーカメラ用の撮影レンズに適用してもよい。
【図面の簡単な説明】
【００４３】
【図１】本発明の第１実施形態であるレンズ鏡筒の伸長状態を示す断面図である。
【図２】レンズ鏡筒の短縮状態を示す断面図である。
【図３】レンズフードとカム筒との関係を示す展開図である。
【図４】本発明の第２実施形態に係る撮影レンズをカメラ本体に装着する前の外観を示す斜視図である。
【図５】撮影レンズをカメラ本体に装着した外観を示す斜視図である。
【図６】装着以前の短縮状態のレンズ鏡筒の断面とカメラ本体の模式的な端面とを示す説明図である。
【図７】レンズ鏡筒のレンズマウントをカメラ本体のボディマウントに差し込んだ直後の状態を示す説明図である。
【図８】装着完了直後のレンズ鏡筒の断面とカメラ本体の模式的な端面とを示す説明図である。
【図９】使用可能状態のレンズ鏡筒の断面とカメラ本体の模式的な端面とを示す説明図である。
【図１０】レンズフードと連動リングとの関係を示す展開図である。
【符号の説明】
【００４４】
１０，５０  撮影レンズ
１１，７４  レンズ鏡筒
１２，７５  外鏡筒
１４，７６  内鏡筒
１４ｂ  突起
１６，６１  レンズマウント
１８，７８  ズームリング
２０，８０  内筒
２０ａ，８０ａ  ガイド突起
２２，７０  レンズフード
２２ａ，７０ａ  直進溝
２２ｂ  突起
２４  カム筒
２４ａ，２４ｂ，７０ｂ  カム溝
３０  ＣＣＤ
５２  カメラ本体
５４  デジタルカメラ
６２  ボディマウント
８２  連動リング
８２ａ  Ｌ字型レバー
８２ｂ  係合レバー
８４  係合穴
【図１】
2006284865.tif 000003
【図２】
2006284865.tif 000004
【図３】
2006284865.tif 000005
【図４】
2006284865.tif 000006
【図５】
2006284865.tif 000007
【図６】
2006284865.tif 000008
【図７】
2006284865.tif 000009
【図８】
2006284865.tif 000010
【図９】
2006284865.tif 000011
【図１０】
2006284865.tif 000012